(57)【要約】【課題】  窓部を有する液晶表示装置において、窓部以外の表示部を有効利用することができる表示装置を提供する。【解決手段】  表示パネルの表示領域に窓部を有する液晶表示装置において、窓部は表示領域の外周に沿って形成されている。この液晶パネルの一例としては、一対の透明基板と、該一対の透明基板に挟持された液晶を有して構成され、前記一対の基板の一方の基板は、前記液晶が配置された側にカラーフィルタが配置され、該カラーフィルタが配置された側とは反対側に偏光板が配置され、前記一対の基板の他方の基板は、前記液晶が配置された側とは反対側に、前記窓部に対応する箇所以外に偏光板が配置された構成である。この窓部は、前記液晶パネルに映像を表示させる場合において該液晶パネルの下辺又は上辺に沿って形成されている。【選択図】        図１
2005300669.tif 000002
【特許請求の範囲】
【請求項１】
表示パネルの表示領域に窓部を有する液晶表示装置において、
前記窓部は前記表示領域の外周に沿って形成されていることを特徴とする液晶表示装置。
【請求項２】
前記液晶パネルは、一対の透明基板と、該一対の透明基板に挟持された液晶を有して構成され、
前記液晶パネルの下面には前記窓部に対応した位置以外の箇所にドット印刷を施した導光体が配置されていることを特徴とする請求項１に記載の液晶表示装置。
【請求項３】
前記一対の基板の一方の基板は、前記液晶が配置された側にカラーフィルタが配置され、該カラーフィルタが配置された側とは反対側に第１の偏光板が配置され、
前記一対の基板の他方の基板は、前記液晶が配置された側とは反対側には第２の偏光板が配置されていることを特徴とする請求項２に記載の液晶表示装置。
【請求項４】
前記第１の偏光板、前記第２の偏光板、前記カラーフィルタの少なくとも一つは、前記窓部に対応する箇所において、前記第１の偏光板、前記第２の偏光板、若しくは前記カラーフィルタが配置されていないことを特徴とする請求項３に記載の液晶表示装置。
【請求項５】
前記窓部は、前記液晶パネルに映像を表示させる場合において該液晶パネルの下辺又は上辺に沿って形成されていることを特徴とする請求項１から４のいずれか一項に記載の液晶表示装置。
【請求項６】
前記液晶パネルの下面には導光体が配置されており、該導光体の前記窓部が配置された箇所に対向する側面にのみ光源が配置されていることを特徴とする請求項５に記載の液晶表示装置。
【請求項７】
前記液晶パネルの下面には導光体が配置されており、該導光体の前記窓部が配置された箇所に対応する側辺と、前記導光体の前記窓部が配置された箇所に対向する側面にそれぞれ光源が配置されていることを特徴とする請求項５に記載の液晶表示装置。
【請求項８】
前記液晶パネルの下面には導光体が配置されており、該導光体の前記窓部が配置された箇所に対向する側面に光源が配置されていることを特徴とする請求項５に記載の液晶表示装置。
【請求項９】
前記窓部に対応する液晶パネルの位置には液晶が封入されていないことを特徴とする請求項１に記載の液晶表示装置。
【発明の詳細な説明】
【技術分野】
【０００１】
本発明は、表示領域を有する液晶表示装置に係り、徳に表示領域の一部分に液晶表示を行わない表示外領域を形成した液晶表示装置に関する。
【背景技術】
【０００２】
液晶表示装置は、液晶を介して対向配置された各透明基板を外囲器とし、該液晶の広がり方向に多数の画素が備えられている。これら各画素は、前記各透明基板の液晶側の面に映像信号に対応する電圧が印加される画素電極と対向電極が形成され、これら電極によって発生する電界によって当該画素の液晶が光変調されるようになっている。そして、液晶の光変調量を光の透過量として可視化できるように、各透明基板の液晶の反対側の面にそれぞれ偏光板が配置されている。
【０００３】
このような液晶表示装置では、それが低消費電力で駆動できることから、近年種々の用途に利用されるようになってきている。たとえば、表示パネルの中央部に窓部を形成し、この窓部を通して観察者が液晶表示パネルの背面に配置させた部材を目視できるようにするものである。
【０００４】
図８は、表示パネルの中央部に窓部を形成した液晶表示装置を示す図である。図８において、１１は下側透明基板、１２は上側透明基板であり、下側透明基板には走査線駆動回路１３及び信号線駆動回路１４が配置されており、走査線駆動回路１３には複数本の走査線１５が、また信号線駆動回路１４には複数の走査線１５に交差するように複数の信号線１６が配置されて構成されている。そして、図８においてはこの走査線１５及び信号線１６が交差して形成された表示領域の中央部において窓部１７が形成されていることを示している。
【発明の開示】
【発明が解決しようとする課題】
【０００５】
従来の技術では、中央部に窓部を形成しているので、表示部がこの窓部により分断されてしまい、表示する情報について制限される可能性があった。本発明は、このような課題を鑑み、窓部を有する液晶表示装置において、窓部以外の表示部を有効利用することができる表示装置を提供する。
【０００６】
本発明の一実施態様によれば、表示パネルの表示領域に窓部を有する液晶表示装置において、前記窓部は表示領域の外周に沿って形成されているというものである。
【０００７】
さらには、一対の透明基板と、該一対の透明基板に挟持された液晶を有して本発明の液晶パネルが構成されており、この液晶パネルの下面には窓部に対応した位置以外の箇所にドット印刷を施した導光体が配置されているというものである
【０００８】
この一対の基板の一方の基板は、液晶が配置された側にカラーフィルタが配置され、カラーフィルタが配置された側とは反対側に第１の偏光板が配置され、一対の基板の他方の基板は、液晶が配置された側とは反対側には第２の偏光板が配置されている。
【０００９】
また、第１の偏光板、第２の偏光板、カラーフィルタの少なくとも一つは、窓部に対応する箇所において、第１の偏光板、第２の偏光板、若しくはカラーフィルタが配置されていない構成とすることもできる。これは、例えば偏光板を取り除けばより明るい液晶パネルとすることができるというものである。
【発明の効果】
【００１０】
本発明によれば、窓部を有する表示装置において、表示部を有効利用することができる表示装置を提供することができる。
【発明を実施するための最良の形態】
【００１１】
以下、本発明の実施の形態につき、実施例の図面を参照して詳細に説明する。図１は、本発明における窓部を有する液晶表示装置を示す図である。図１において、１１は下側透明基板、１２は上側透明基板であり、下側透明基板には走査線駆動回路１３及び信号線駆動回路１４が配置されており、走査線駆動回路１３には複数本の走査線１５が、また信号線駆動回路１４には複数の走査線１５に交差するように複数の信号線１６が配置されて構成されている。そして、図１においてはこの走査線１５及び信号線１６が交差して形成された表示領域の外周（若しくは表示パネルの外周）に沿って窓部１７が形成されていることを示している。尚、本明細書で窓部とは液晶表示以外の表示を行う部分であり、透過若しくは穴明き部と呼んでも良い。
【００１２】
本発明において、図６の構成と異なる点は、窓部１７が表示パネルの端辺に構成されている点である。
【００１３】
本発明ではこのように、窓部１７を表示領域の外周（若しくは表示パネルの外周）に形成することにより、この窓部１７により表示部を分断することがなく有効に表示領域を利用して表示を行うことができる液晶表示装置を提供することができる。
【００１４】
図２は、図１におけるＡ-Ａ’断面を示した図である。図２においては、上側透明基板１２と下側透明基板１１との間に液晶２４が配置されている。上側透明基板１２の液晶２４側にはカラーフィルタ２３が配置され、液晶２４と反対側には上側偏光板２１が配置されている。また、下側透明基板１１の液晶２４と反対側には下側偏光板２２が配置されている。
【００１５】
下側偏光板２２の下には導光板２５が配置され、さらに導光体２５の下には窓部１７以外に対応する箇所に反射シート２６が配置され、さらに窓部１７に対応する位置には、液晶表示以外の表示を行うべく部材２７が配置されていることを示している。尚、下側偏光板２２と導光体２５との間には、図示しないがプリズムシート、拡散シート等の種々の光学シート類が必要に応じて配置される。
【００１６】
図３は、図２における導光体の全体構成を示した図であり、導光体２５の窓部１７が形成された辺と反対側の辺に光源３１を配置している。また、導光体の下面には窓部１７を除いてドット印刷３３を施して構成されている。このドット印刷３３と導光板の窓部１７を除いた下部に配置された反射シート２６により光源３１からの光を上部に配置した液晶パネルに導光している。
【００１７】
ここで、再び図８について説明する。図８の構成においては、窓部１７が表示領域の中央部に存在するため、本発明の図３に対応する導光体の全体構成では図９のように導光体の上下の各端辺に光源３１、３２を配置することが必須となる。これは即ち、本発明のように導光体一辺のみに光源を配置した構成だと、窓部１７と光源が配置された辺とは反対側の辺との間が暗くなってしまうからである。
【００１８】
本発明では、図３に示すように、窓部１７を表示領域の外周（若しくは表示パネルの外周）に沿って形成することにより、図６における窓部１７と光源が配置されていない側のスペースをなくすことができ、片側のみの光源で表示を行うことが可能となる。尚、明るさを確保するために、本発明においても導光体の上下の両側に光源を配置しても良いことはいうまでもない。
【００１９】
尚、窓部１７に対応する位置における上側偏光板２１、カラーフィルタ２３、下側偏光板２２についても必要に応じて適宜取り除いた構成とすることもできる。例えば、下側偏光板２２のみを窓部１７に対応する箇所を配置していない構成としても良いし、カラーフィルタ２３のみを窓部１７に対応する箇所を配置していない構成としても良い。さらに、前述した光学シート類についても、窓部１７に対応する位置において各光学シートを配置しないか、透明のＰＥＴの状態のものを窓部１７に対応させて配置することも考えられる。
【００２０】
また、図４に示すように、光源３１の配置については窓部１７を取り囲むようにコの字型の光源３１を配置することも考えられ、この場合より一層明るい表示が可能となる。勿論、図４に示すように連続したコの字形状の光源でなくとも直線状の光源を３辺に配置しても良い。
【００２１】
図５は、本発明において窓部１７を表示領域の外周（若しくは表示パネルの外周）の角部に形成した構成である。本発明ではこのように、窓部１７を表示領域の外周（若しくは表示パネルの外周）のあらゆる箇所に形成することが可能である。
【００２２】
尚、図５のような窓部１７にした場合には、図６に示すようにＬ字状の光源３１を窓部１７に対向する辺に配置することが可能であり、明るい表示装置を提供できる。勿論、図６に示すように連続したＬ字形状の光源でなくとも直線状の光源を２辺に配置しても良い。
【００２３】
次に、本発明を製造工程の点から考慮する。図１０は、図８のように窓部１７が中央部に形成され、窓部１７の領域には液晶を封入しない場合の液晶封入工程を示す図である。図１０において、例えば２つの液晶封入口１０１から液晶が封入されるが、窓部１７が存在する場合には、液晶は液晶進行方向１０２に示すように窓部１７を廻り込んで封入される必要があり製造工程上とても難しい。
【００２４】
一方本発明では、図７に示すように、例えば液晶封入口７２を窓部１７の両脇に構成することにより窓部１７のない通常の液晶表示装置と同様にスムーズに液晶を封入することが可能である。本発明は、このように窓部に対応した液晶パネルの位置に液晶を封入しない場合には特に有効である。また、窓部１７に対応する箇所の液晶パネル自体（一対の透明基板及び液晶）を取り除いた液晶パネルとする場合にも有効である。
【図面の簡単な説明】
【００２５】
【図１】本発明における窓部を有する液晶表示装置を示す図である。
【図２】図１におけるＡ-Ａ’断面を示した図である。
【図３】図２における導光体の全体構成を示した図である。
【図４】導光体に対する光源の配置を示す一実施例を示す図である。
【図５】本発明において窓部１７を表示領域の外周（若しくは表示パネルの外周）の角部に形成した構成である。
【図６】図５における導光体に対する光源の配置を示す一実施例を示す図である。
【図７】本発明の構成における液晶封入方法を示す図である。
【図８】背景技術における液晶表示装置の構成を示す図である。
【図９】背景技術の構成における光源の配置を示す図である。
【図１０】背景技術における液晶封入方法を示す図である。
【符号の説明】
【００２６】
１１・・・下側透明基板、１２・・・上側透明基板、１３・・・走査線駆動回路、１４・・・信号線駆動回路、１５・・・走査線、１６・・・信号線１６、１７・・・窓部、２１・・・上側偏光板、２２・・・下側偏光板、２３・・・カラーフィルタ、２４・・・液晶、２５・・・導光体、２６・・・反射シート、２７・・・部材、３１、３２・・・光源、３３・・・ドット印刷、７１、１０１・・・液晶封入口、１０２・・・液晶進行方向。
【図１】
2005300669.tif 000003
【図２】
2005300669.tif 000004
【図３】
2005300669.tif 000005
【図４】
2005300669.tif 000006
【図５】
2005300669.tif 000007
【図６】
2005300669.tif 000008
【図７】
2005300669.tif 000009
【図８】
2005300669.tif 000010
【図９】
2005300669.tif 000011
【図１０】
2005300669.tif 000012